(57)【要約】【課題】作動バーが天板に当たって生じる騒音を効果的に抑え、大正琴の美しい音色を維持する大正琴の作動バーが復位する際に騒音が生じることを防ぐ構造を提供する。【解決手段】大正琴の作動バーが復位する際に騒音が生じることを防ぐ構造は、琴胴体２０、天板３０、複数の作動バー４０及び帯状消音部材５０を備える。琴胴体２０は、薄い直方体形状の共鳴箱であり、その頂面には、長尺状の基台２１が横向きに配置され、頂面上の末端近くの中央部に円形状音孔２２が形成される。天板３０は、琴胴体２０の上方に結合され、上限ストッパ３１及び複数のばね３２を底面に有する。作動バー４０は、一端が上限ストッパ３１に揺動自在に結合され、他端が天板３０の外部へ至るまで延びるとともに鍵ボタン４１を有する。帯状消音部材５０は、帯状弾性部材５１及び帯状支持部材５２を含む。【選択図】図７
0003201918.tif 000002
【実用新案登録請求の範囲】
【請求項１】
琴胴体、天板、複数の作動バー及び帯状消音部材を備えた大正琴の作動バーが復位する際に騒音が生じることを防ぐ構造であって、
前記琴胴体は、薄い直方体形状の共鳴箱であり、その頂面には、長尺状の基台が横向きに配置され、頂面上の末端近くの中央部に円形状音孔が形成され、前記琴胴体の頂面には、頭部から末端に至る複数の弦が配置され、前記弦の一部が前記基台の上方に位置し、
前記天板は、前記琴胴体の上方に結合され、上限ストッパ及び複数のばねを底面に有し、
前記作動バーは、一端が前記上限ストッパに揺動自在に結合され、他端が前記天板の外部へ至るまで延びるとともに鍵ボタンを有し、前記作動バーは、前記ばねによりそれぞれ掛止され、前記作動バーが押下されてから放されると、元の位置に復位し、
前記帯状消音部材は、帯状弾性部材及び帯状支持部材を含み、前記帯状弾性部材は、前記天板の前記上限ストッパが頂面に結合され、前記上限ストッパと前記作動バーとの間に位置し、前記帯状弾性部材は、弾性変形量が大きな材料からなり、内部に収納槽を有し、前記帯状支持部材は、前記収納槽中に結合され、前記帯状弾性部材より大きな硬度を有することを特徴とする大正琴の作動バーが復位する際に騒音が生じることを防ぐ構造。
【請求項２】
前記帯状弾性部材の前記収納槽は、下向きに開口し、
前記帯状支持部材は、前記収納槽の槽底面が頂面に結合し、前記収納槽の深さより小さな厚さを有することを特徴とする請求項１に記載の大正琴の作動バーが復位する際に騒音が生じることを防ぐ構造。
【請求項３】
前記帯状弾性部材は、前記天板の前記上限ストッパが接着される接着層を頂面に有し、
前記帯状支持部材は、前記収納槽の槽底面を接着させる接合層を頂面に有することを特徴とする請求項２に記載の大正琴の作動バーが復位する際に騒音が生じることを防ぐ構造。
【請求項４】
前記接着層及び前記接合層は、接着剤であることを特徴とする請求項３に記載の大正琴の作動バーが復位する際に騒音が生じることを防ぐ構造。
【請求項５】
前記接着層及び前記接合層は、両面テープであることを特徴とする請求項３に記載の大正琴の作動バーが復位する際に騒音が生じることを防ぐ構造。
【請求項６】
前記帯状弾性部材は、ＰＵ発泡材からなることを特徴とする請求項１又は２に記載の大正琴の作動バーが復位する際に騒音が生じることを防ぐ構造。
【請求項７】
前記帯状弾性部材は、発泡体からなることを特徴とする請求項１又は２に記載の大正琴の作動バーが復位する際に騒音が生じることを防ぐ構造。
【請求項８】
前記帯状弾性部材は、スポンジからなることを特徴とする請求項１又は２に記載の大正琴の作動バーが復位する際に騒音が生じることを防ぐ構造。
【請求項９】
前記帯状支持部材は、ＥＶＡ（Ethylene Vinyl Acetate）からなることを特徴とする請求項１又は２に記載の大正琴の作動バーが復位する際に騒音が生じることを防ぐ構造。
【考案の詳細な説明】
【技術分野】
【０００１】
本考案は、大正琴の構造に関し、特に、大正琴を弾く際、作動バーが押下後に放されて元の位置に戻るときに、作動バーが天板に当たらないようにして騒音の発生を防ぐ、大正琴の作動バーが復位する際に騒音が生じることを防ぐ構造に関する。
【背景技術】
【０００２】
図１及び図２に示すように、従来の大正琴（八雲琴又は二弦琴とも称する）は、琴胴体１０、天板１１及び複数の作動バー１２を含む。琴胴体１０は、薄い直方体形状の共鳴箱であり、その頂面には、横向きで長尺状の基台１００が配置され、頂面上の末端近くの中央部に円形状音孔１０１が形成されている。琴胴体１０上には、頭部から末端に至る複数の弦１０２が配置され、弦１０２の一部が基台１００の上方に位置する。天板１１は、琴胴体１０の上方に配置され、上限ストッパ１１０及び複数のばね１１１を底面に有する。複数の作動バー１２は、一端が上限ストッパ１１０に枢着され、他端が天板１１の外部へ至るまで延びるとともに鍵ボタン１２０を有する。複数の作動バー１２は、複数のばね１１１により掛止され、作動バー１２が押下されてから放されると元の位置へ戻る。
【０００３】
大正琴を演奏する際、円形状音孔１０１上方の弦１０２を右手で持ったピック（ｐｉｃｋ）で弾き、左手で作動バー１２を押下すると、弦１０２が基台１００上に押し当てられ、様々な長さの弦１０２の振動を制御し、音色を調整することができる。しかし従来の大正琴は、演奏者が演奏する際に作動バー１２を放し、ばね１１１の弾力により作動バー１２が元の位置に引き戻されるときに、作動バー１２が天板１１に当たって耳障りな騒音がが発生し、大正琴のきれいな音色に悪影響を及ぼす虞がある。
【考案の概要】
【考案が解決しようとする課題】
【０００４】
従来の大正琴構造には、作動バーが元の位置に引き戻される際、天板に当たって耳障りな騒音が発生し、大正琴のきれいな音色に悪影響を与えてしまうという問題点があった。
本考案は、大正琴を弾く際、作動バーを押下してから放した後、元の位置に引き戻されるときに、作動バーが天板に当たって耳障りな騒音が生じることを防ぐ、大正琴の作動バーが復位する際に騒音が生じることを防ぐ構造を提供することを課題とする。
【課題を解決するための手段】
【０００５】
上記課題を解決するために、本考案の第１の形態によれば、琴胴体、天板、複数の作動バー及び帯状消音部材を備えた大正琴の作動バーが復位する際に騒音が生じることを防ぐ構造であって、前記琴胴体は、薄い直方体形状の共鳴箱であり、その頂面には、長尺状の基台が横向きに配置され、頂面上の末端近くの中央部に円形状音孔が形成され、前記琴胴体の頂面には、頭部から末端に至る複数の弦が配置され、前記弦の一部が前記基台の上方に位置し、前記天板は、前記琴胴体の上方に結合され、上限ストッパ及び複数のばねを底面に有し、前記作動バーは、一端が前記上限ストッパに揺動自在に結合され、他端が前記天板の外部へ至るまで延びるとともに鍵ボタンを有し、前記作動バーは、前記ばねによりそれぞれ掛止され、前記作動バーが押下されてから放されると、元の位置に復位し、  前記帯状消音部材は、帯状弾性部材及び帯状支持部材を含み、前記帯状弾性部材は、前記天板の前記上限ストッパが頂面に結合され、前記上限ストッパと前記作動バーとの間に位置し、前記帯状弾性部材は、弾性変形量が大きな材料からなり、内部に収納槽を有し、前記帯状支持部材は、前記収納槽中に結合され、前記帯状弾性部材より大きな硬度を有することを特徴とする大正琴の作動バーが復位する際に騒音が生じることを防ぐ構造が提供される。
【考案の効果】
【０００６】
本考案の大正琴の作動バーが復位する際に騒音が生じることを防ぐ構造は、帯状消音部材中の弾性変形量が大きい帯状弾性部材を介し、作動バーが天板に当たることを防ぎ、作動バーが天板に当たることにより生じる騒音を無くし、大正琴の美しい音色を維持することができる。特に、弾性変形量が大きな帯状弾性部材が作動バーにより長時間押し当てられると、ヘタリが生じて変形してしまうことがあるため、本考案は、硬度が高めの帯状支持部材を帯状弾性部材中に結合させ、帯状支持部材により支持することにより帯状弾性部材が作動バーにより押圧されて変形することを防ぎ、その使用寿命を大幅に延ばすことができる。
【図面の簡単な説明】
【０００７】
【図１】図１は、従来の大正琴を示す断面図である。
【図２】図２は、従来の大正琴の作動バーが押下されたときの状態を示す動作図である。
【図３】図３は、本考案の一実施形態に係る大正琴を示す斜視図である。
【図４】図４は、本考案の一実施形態に係る帯状消音部材を示す分解斜視図である。
【図５】図５は、本考案の一実施形態に係る帯状消音部材を示す斜視図である。
【図６】図６は、本考案の一実施形態に係る帯状消音部材を示す断面図である。
【図７】図７は、本考案の一実施形態に係る大正琴を示す断面図である。
【図８】図８は、本考案の一実施形態に係る大正琴の作動バーが押下されたときの状態を示す動作図である。
【図９】図９は、本考案の他の実施形態に係る帯状消音部材を示す断面図である。
【考案を実施するための形態】
【０００８】
以下、本考案の大正琴の作動バーが復位する際に騒音が生じることを防ぐ構造の実施形態について、図面を参照しながら説明する。
【０００９】
図３〜図６を参照する。図３〜図６に示すように、本考案の一実施形態に係る大正琴（八雲琴又は二弦琴とも称する）の作動バーが復位する際に騒音が生じることを防ぐ構造は、少なくとも琴胴体２０、天板３０、複数の作動バー４０及び帯状消音部材５０から構成されてなる。
【００１０】
琴胴体２０は、薄い直方体形状の共鳴箱であり、その頂面には、長尺状の基台２１が横向きに配置され、頂面上の末端近くの中央部に円形状音孔２２が形成され、琴胴体２０の頂面には、頭部から末端に至る複数の弦２３が配置され、弦の一部２３が基台２１の上方に位置する。
【００１１】
天板３０は、琴胴体２０の上方に結合され、上限ストッパ３１及び複数のばね３２を底面に有する。
【００１２】
複数の作動バー４０は、一端が上限ストッパ３１に枢着され、他端が天板３０の外部へ至るまで延びるとともにユーザが押下する鍵ボタン４１を有する。複数の作動バー４０は、複数のばね３２によりそれぞれ掛止され、作動バー４０が押下されてから放されると、元の位置に復位する。
【００１３】
帯状消音部材５０は、帯状弾性部材５１及び帯状支持部材５２を含む。帯状弾性部材５１は、天板３０の上限ストッパ３１が接着される接着層５３を頂面に有し、上限ストッパ３１と複数の作動バー４０との間に位置する。帯状弾性部材５１は、弾性変形量が大きな材料（例えば、ＰＵ発泡材、発泡体、スポンジなど）からなり、下向きに開口した収納槽５４を内部に有する。接着層５３は、帯状弾性部材５１の頂面に塗布された接着剤でもよいし、帯状弾性部材５１の頂面に貼付された両面テープでもよい。帯状支持部材５２は、収納槽５４の槽底面を接着させる接合層５５を頂面に有し、収納槽５４の深さより小さな厚さを有する。帯状支持部材５２は、帯状弾性部材５１より大きな硬度を有し、ＥＶＡ（Ethylene Vinyl Acetate）からなる。接合層５５は、帯状支持部材５２の頂面に塗布された接着剤でもよいし、帯状支持部材５２の頂面に貼付された両面テープでもよい。
【００１４】
図７及び図８を参照する。図７及び図８に示すように、演奏者が複数の作動バー４０のうちの一つを押下すると、弦２３が基台２１に押し当てられて音色が制御され、作動バー４０を放すと元の位置に戻り、他の作動バー４０を押下すると他の音色へ変化させることができる上、演奏者が作動バー４０を放し、ばね３２により作動バー４０が元の位置に引き戻される際、作動バー４０が天板３０の上限ストッパ３１に当たらずに帯状消音部材５０に当たるため、騒音の発生を防ぐことができる。
【００１５】
図９を参照する。図９に示すように、本考案の他の実施形態に係る大正琴の作動バーが復位する際に騒音が生じることを防ぐ構造は、帯状支持部材５２を完全に覆う帯状消音部材５０の帯状弾性部材５１を含む。
【００１６】
上述したことから分かるように、本考案の大正琴の作動バーが復位する際に騒音が生じることを防ぐ構造は、帯状消音部材５０中の弾性変形量が大きい帯状弾性部材５１により、作動バー４０が天板３０に当たって生じる騒音を効果的に抑え、大正琴の美しい音色を維持することができる。特に、弾性変形量が大きな帯状弾性部材５１は、作動バー４０が長時間押し当てられると、ヘタリが生じて変形してしまうことがあるため、本考案は、硬度が高めの帯状支持部材５２を帯状弾性部材５１中に結合させ、帯状支持部材５２により支持することにより帯状弾性部材５１が作動バー４０により押圧されて変形することを防ぎ、その使用寿命を大幅に延ばす。
【符号の説明】
【００１７】
１０    琴胴体
１１    天板
１２    作動バー
２０    琴胴体
２１    基台
２２    円形状音孔
２３    弦
３０    天板
３１    上限ストッパ
３２    ばね
４０    作動バー
４１    鍵ボタン
５０    帯状消音部材
５１    帯状弾性部材
５２    帯状支持部材
５３    接着層
５４    収納槽
５５    接合層
１００  基台
１０１  円形状音孔
１０２  弦
１１０  上限ストッパ
１１１  ばね
１２０  鍵ボタン
【図１】
0003201918.tif 000003
【図２】
0003201918.tif 000004
【図３】
0003201918.tif 000005
【図４】
0003201918.tif 000006
【図５】
0003201918.tif 000007
【図６】
0003201918.tif 000008
【図７】
0003201918.tif 000009
【図８】
0003201918.tif 000010
【図９】
0003201918.tif 000011